(57)【要約】【課題】使用するフォトダイオードがカソードコモンフォトダイオードかアノードコモンフォトダイオードかを自動的に判別することで、フォトダイオード判別のための制御ピンやレジスタ等の追加が不要なフォトダイオード判別装置を提供する事を目的とする。【解決手段】比較手段２２にてフォトダイオードから入力される電圧と基準電圧を比較して、接続されるフォトダイオードがカソードコモンフォトダイオードかアノードコモンフォトダイオードかを自動的に判別することにより、フォトダイオード判別のための制御ピンやレジスタ等の追加が不要なフォトダイオード判別装置を実現することができる。【選択図】  図１
2004228391.tif 000002
【特許請求の範囲】
【請求項１】
受光するレーザー光の強度に応じた電圧を出力するフォトダイオードがカソードコモンフォトダイオードであるかアノードコモンフォトダイオードであるかを判断することにより、前記レーザー光出力の制御に用いる制御電圧を選択するフォトダイオード判別装置であって、
前記フォトダイオードが出力する電圧を逆相入力とし第１の基準電圧を正相入力として前記フォトダイオードがカソードコモンフォトダイオードである場合の制御電圧を出力する第１のオペアンプと、
前記フォトダイオードが出力する電圧を正相入力とし第２の基準電圧を逆相入力として前記フォトダイオードがアノードコモンフォトダイオードである場合の制御電圧を出力する第２のオペアンプと、
前記フォトダイオードが出力する電圧と所定の第３の基準電圧を比較して前記第１のオペアンプまたは前記第２のオペアンプを動作状態にする制御信号を出力する比較手段と
を有し、前記比較手段により、動作しているフォトダイオードがカソードコモンフォトダイオードであるかアノードコモンフォトダイオードであるかを自動的に判断して、カソードコモンフォトダイオードである場合は前記第１のオペアンプの出力電圧を前記レーザー光出力の制御に用いる制御電圧として出力し、アノードコモンフォトダイオードである場合は前記第２のオペアンプの出力電圧を前記レーザー光出力の制御に用いる制御電圧として出力することを特徴とするフォトダイオード判別装置。
【請求項２】
受光するレーザー光の強度に応じた電圧を出力するフォトダイオードがカソードコモンフォトダイオードであるかアノードコモンフォトダイオードであるかを判断することにより、前記レーザー光出力の制御に用いる制御電圧を選択するフォトダイオード判別装置であって、
前記フォトダイオードが出力する電圧と第１の基準電圧を入力として制御信号により前記カソードコモンフォトダイオードが動作している場合には前記第１の基準電圧を出力しその他の場合には前記フォトダイオードが出力する電圧を出力する第１の切替えスイッチと、
前記フォトダイオードが出力する電圧と第２の基準電圧を入力として制御信号により前記アノードコモンフォトダイオードが動作している場合には前記第２の基準電圧を出力しその他の場合には前記フォトダイオードが出力する電圧を出力する第２の切替えスイッチと、
前記フォトダイオードが出力する電圧と所定の第３の基準電圧を比較して前記カソードコモンフォトダイオードが動作しているかまたは前記アノードコモンフォトダイオードが動作しているかを示す制御信号を出力する比較手段と、
前記第１の切替えスイッチの出力電圧を正相入力とし前記第２の切替えスイッチの出力電圧を逆相入力として出力電圧を制御電圧とするオペアンプと
を有し、前記比較手段により、動作しているフォトダイオードがカソードコモンフォトダイオードであるかアノードコモンフォトダイオードであるかを自動的に判断して、カソードコモンフォトダイオードが動作状態である場合は前記オペアンプの正相入力に前記第１の基準電圧を、逆相入力には前記フォトダイオードが出力する電圧を入力し、アノードコモンフォトダイオードが動作状態である場合は前記オペアンプの逆相入力に前記第２の基準電圧を、正相入力には前記フォトダイオードが出力する電圧を入力してオペアンプの出力電圧を前記レーザー光出力の制御に用いる制御電圧として出力することを特徴とするフォトダイオード判別装置。
【請求項３】
前記比較手段をヒステリシス付きの比較手段に変更した事を特徴とする請求項１または請求項２のいずれかに記載のフォトダイオード判別装置。
【請求項４】
前記比較手段の後段に保持手段を設けて比較結果を保持する事を特徴とする請求項１または請求項２のいずれかに記載のフォトダイオード判別装置。
【発明の詳細な説明】
【０００１】
【発明の属する技術分野】
本発明は、光ディスクや光磁気ディスクの再生装置において、レーザー出力を制御する自動出力制御回路（以下、ＡＰＣ回路と称す）に使用されるフォトダイオード判別装置に関するものである。
【０００２】
【従来の技術】
以下、光ディスクおよび光磁気ディスクのレーザー出力を制御する従来のＡＰＣ回路に関して、図面を参照しながら説明する。
【０００３】
図４は従来のＡＰＣ回路のブロック図である。
図４において、１は入力端子、２は制御端子、３は第１のＶｃｃ端子、４は第１の電源、５は制御端子２により動作／停止を制御される第１のオペアンプであり、第１のＶｃｃ端子３と第１の電源４によって決まる第１の基準電圧と入力端子１の電圧を比較する。６は第１のＧＮＤ端子、７は第２の電源、８は制御端子２により動作／停止を制御される第２のオペアンプであり、第２のＧＮＤ端子６と第２の電源７によって決まる第２の基準電圧と入力端子１の電圧を比較する。９は第１のオペアンプ５および第２のオペアンプ８の出力に接続された出力端子、１０は出力端子９の電圧に基づいてレーザー駆動電流を発生するｐｎｐトランジスタ、１１は第２のＶｃｃ端子、１２はレーザー駆動電流の電流値を決定する第１の抵抗、１３は第２のＧＮＤ端子、１４はレーザー発振素子、１５はカソードコモンのフォトダイオードを使用する際に、レーザー発振素子１４により発生する光を受光して電流を発生するカソードコモンのフォトダイオード、１６はカソードコモンのフォトダイオード１５を使用する際に用いる第３のＧＮＤ端子、１７はカソードコモンのフォトダイオード１５を使用する際に入力端子１に接続する端子、１８はカソードコモンのフォトダイオード１５を使用する際に用いる第３のＶｃｃ端子、１９はカソードコモンのフォトダイオード１５を使用する際にフォトダイオード１５により発生した電流と第３のＶｃｃ端子１８から入力される電流よりレーザー基準電圧を決定する第２の抵抗、１５’はアノードコモンのフォトダイオードを使用する際に、レーザー発振素子１４により発生する光を受光して電流を発生するアノードコモンのフォトダイオード、１６’はアノードコモンのフォトダイオード１５’を使用する際に用いる第４のＶｃｃ端子、１７’はアノードコモンのフォトダイオード１５’を使用する際に入力端子１に接続する端子、１８’はアノードコモンのフォトダイオード１５’を使用する際に用いる第４のＧＮＤ端子、１９’はアノードコモンのフォトダイオード１５’を使用する際にフォトダイオード１５’により発生した電流と第４のＧＮＤ端子１８’から入力される電流よりレーザー基準電圧を決定する第３の抵抗である。以上の回路において、使用する光ディスクや光磁気ディスクの再生装置によって、カソードコモンまたはアノードコモンのいずれかのフォトダイオードが使用される。
【０００４】
上記構成の光ディスクおよび光磁気ディスクのレーザー出力を制御するＡＰＣ回路において、フォトダイオードを判別する動作を説明する。
使用するフォトダイオードがカソードコモンであるかアノードコモンであるかは、使用する光ディスクや光磁気ディスクの再生装置を構築する際に決まっており、接続される構成要素としては、１５〜１９か１５’〜１９’のいずれか一方が使用されるため、どちらを使用するかに合わせて、あらかじめオペアンプ５かオペアンプ８のどちらかのみを動作させるように、制御端子２の状態を固定する。
【０００５】
カソードコモンのフォトダイオード１５を使用する際には、制御端子２により、第１のオペアンプ５を動作状態とし、第２のオペアンプ８を停止状態にすることで、第１のＶｃｃ端子３と第１の電源４によって決まる基準電圧を用いて、レーザー出力の制御を実現する。逆にアノードコモンのフォトダイオード１５’を使用する際には、制御端子２により、第２のオペアンプ８を動作状態とし、第１のオペアンプ５を停止状態にすることで、第１のＧＮＤ端子６と第２の電源７によって決まる基準電圧を用いて、レーザー出力の制御を実現する（例えば、特許文献１）。
【０００６】
【特許文献１】
特公平８−４１６３号公報（第６頁、第５図）
【０００７】
【発明が解決しようとする課題】
しかしながら、上記従来の構成では、カソードコモンのフォトダイオード１５を使用するかアノードコモンのフォトダイオード１５’を使用するかにより、制御端子２を人為的に制御して固定する必要があり、そのために、ピンの追加やレジスタの追加が必要になるという問題点があった。
【０００８】
本発明は上記従来の問題点を解決するもので、使用するフォトダイオードがカソードコモンフォトダイオードかアノードコモンフォトダイオードかを自動的に判別することで、フォトダイオード判別のための制御ピンやレジスタ等の追加が不要なフォトダイオード判別装置を提供する事を目的とする。
【０００９】
【課題を解決するための手段】
この目的を達成するために、本発明の請求項１に記載のフォトダイオード判別回路は、受光するレーザー光の強度に応じた電圧を出力するフォトダイオードがカソードコモンフォトダイオードであるかアノードコモンフォトダイオードであるかを判断することにより、前記レーザー光出力の制御に用いる制御電圧を選択するフォトダイオード判別装置であって、前記フォトダイオードが出力する電圧を逆相入力とし第１の基準電圧を正相入力として前記フォトダイオードがカソードコモンフォトダイオードである場合の制御電圧を出力する第１のオペアンプと、前記フォトダイオードが出力する電圧を正相入力とし第２の基準電圧を逆相入力として前記フォトダイオードがアノードコモンフォトダイオードである場合の制御電圧を出力する第２のオペアンプと、前記フォトダイオードが出力する電圧と所定の第３の基準電圧を比較して前記第１のオペアンプまたは前記第２のオペアンプを動作状態にする制御信号を出力する比較手段とを有し、前記比較手段により、動作しているフォトダイオードがカソードコモンフォトダイオードであるかアノードコモンフォトダイオードであるかを自動的に判断して、カソードコモンフォトダイオードである場合は前記第１のオペアンプの出力電圧を前記レーザー光出力の制御に用いる制御電圧として出力し、アノードコモンフォトダイオードである場合は前記第２のオペアンプの出力電圧を前記レーザー光出力の制御に用いる制御電圧として出力することを特徴とする。
【００１０】
請求項２記載のフォトダイオード判別装置は、受光するレーザー光の強度に応じた電圧を出力するフォトダイオードがカソードコモンフォトダイオードであるかアノードコモンフォトダイオードであるかを判断することにより、前記レーザー光出力の制御に用いる制御電圧を選択するフォトダイオード判別装置であって、前記フォトダイオードが出力する電圧と第１の基準電圧を入力として制御信号により前記カソードコモンフォトダイオードが動作している場合には前記第１の基準電圧を出力しその他の場合には前記フォトダイオードが出力する電圧を出力する第１の切替えスイッチと、前記フォトダイオードが出力する電圧と第２の基準電圧を入力として制御信号により前記アノードコモンフォトダイオードが動作している場合には前記第２の基準電圧を出力しその他の場合には前記フォトダイオードが出力する電圧を出力する第２の切替えスイッチと、前記フォトダイオードが出力する電圧と所定の第３の基準電圧を比較して前記カソードコモンフォトダイオードが動作しているかまたは前記アノードコモンフォトダイオードが動作しているかを示す制御信号を出力する比較手段と、前記第１の切替えスイッチの出力電圧を正相入力とし前記第２の切替えスイッチの出力電圧を逆相入力として出力電圧を制御電圧とするオペアンプとを有し、前記比較手段により、動作しているフォトダイオードがカソードコモンフォトダイオードであるかアノードコモンフォトダイオードであるかを自動的に判断して、カソードコモンフォトダイオードが動作状態である場合は前記オペアンプの正相入力に前記第１の基準電圧を、逆相入力には前記フォトダイオードが出力する電圧を入力し、アノードコモンフォトダイオードが動作状態である場合は前記オペアンプの逆相入力に前記第２の基準電圧を、正相入力には前記フォトダイオードが出力する電圧を入力してオペアンプの出力電圧を前記レーザー光出力の制御に用いる制御電圧として出力することを特徴とする。
【００１１】
請求項３記載のフォトダイオード判別装置は、請求項１または請求項２のいずれかに記載のフォトダイオード判別装置において、前記比較手段をヒステリシス付きの比較手段に変更した事を特徴とする。
【００１２】
請求項４記載のフォトダイオード判別装置は、請求項１または請求項２のいずれかに記載のフォトダイオード判別装置において、前記比較手段の後段に保持手段を設けて比較結果を保持する事を特徴とする。
【００１３】
このように、使用するフォトダイオードがカソードコモンフォトダイオードかアノードコモンフォトダイオードかを自動的に判別することで、フォトダイオード判別のための制御ピンやレジスタ等の追加が不要なフォトダイオード判別装置を実現することができる。
【００１４】
【発明の実施の形態】
以下、本発明の実施形態について、図面を参照しながら説明する。
図１は本発明の実施の形態１におけるＡＰＣ回路のブロック図であり、図２はフォトダイオードの種類と入力端子１の電圧の関係を示す図である。
【００１５】
図１において、１は入力端子、２０は第１のＧＮＤ端子、２１は第１の電源、２２は第１のＧＮＤ端子２０と第１の電源２１によって決まる第１の基準電圧と入力端子１の電圧を比較する比較手段、３は第１のＶｃｃ端子、４は第２の電源、５は比較手段２２の出力により動作／停止を制御される第１のオペアンプであり、第１のＶｃｃ端子３と第２の電源４によって決まる第２の基準電圧と入力端子１の電圧を比較する。６は第２のＧＮＤ端子、７は第３の電源、８は比較手段２２の出力により動作／停止を制御される第２のオペアンプであり、第２のＧＮＤ端子６と第３の電源７によって決まる第３の基準電圧と入力端子１の電圧を比較する。９は第１のオペアンプ５および第２のオペアンプ８の出力に接続された出力端子、１０は出力端子９の電圧に基づいてレーザー駆動電流を発生するｐｎｐトランジスタ、１１は第２のＶｃｃ端子、１２はレーザー駆動電流の電流値を決定する第１の抵抗、１３は第３のＧＮＤ端子、１４はレーザー発振素子、１５はカソードコモンのフォトダイオードを使用する際に、レーザー発振素子１４により発生する光を受光して電流を発生するカソードコモンのフォトダイオード、１６はカソードコモンのフォトダイオード１５を使用する際に用いる第４のＧＮＤ端子、１７はカソードコモンのフォトダイオード１５を使用する際に入力端子１に接続する端子、１８はカソードコモンのフォトダイオード１５を使用する際に用いる第３のＶｃｃ端子、１９はカソードコモンのフォトダイオード１５を使用する際にフォトダイオード１５により発生した電流と第３のＶｃｃ端子１８から入力される電流よりレーザー基準電圧を決定する第２の抵抗、１５’はアノードコモンのフォトダイオードを使用する際に、レーザー発振素子１４により発生する光を受光して電流を発生するアノードコモンのフォトダイオード、１６’はアノードコモンのフォトダイオード１５’を使用する際に用いる第４のＶｃｃ端子、１７’はアノードコモンのフォトダイオード１５’を使用する際に入力端子１に接続する端子、１８’はアノードコモンのフォトダイオード１５’を使用する際に用いる第５のＧＮＤ端子、１９’はアノードコモンのフォトダイオード１５’を使用する際にフォトダイオード１５’により発生した電流と第４のＧＮＤ端子１８’から入力される電流よりレーザー基準電圧を決定する第３の抵抗である。以上の回路において、使用する光ディスクや光磁気ディスクの再生装置によって、カソードコモンまたはアノードコモンのいずれかのフォトダイオードが使用される。なお、第１〜第５のＧＮＤ端子は共通にしてよい。また、第１〜第４のＶｃｃ端子は共通にしてよい。また、オペアンプを制御する手段として、本実施例で述べたオペアンプの動作／停止でなく、オペアンプの入出力経路を切替える方法でも良い事は言うまでもない。
【００１６】
以上の様に構成された本発明の実施の形態１におけるＡＰＣ回路において、フォトダイオードを判別する動作を説明する。
ここで、使用するフォトダイオードがカソードコモンであるかアノードコモンであるかは、使用する光ディスクや光磁気ディスクの再生装置を構築する際に決まっており、接続される構成要素としては、１５〜１９か１５’〜１９’のいずれか一方が使用される。
【００１７】
まず、図２のように、カソードコモンのフォトダイオード１５を使用する場合には、構成要素として１５〜１９を使用する。フォトダイオード１５が動作状態の場合、入力端子１の電圧は、例えばＶｃｃ−２００ｍＶというように、Ｖｃｃから少し低めの電圧となる。一方、フォトダイオード１５が停止状態の場合、抵抗１９に電流が流れないため、入力端子１の電圧はＶｃｃとなる。ここで、抵抗１９は十分小さい抵抗値であるので、フォトダイオード１５が動作状態であっても、入力端子１が１／２Ｖｃｃ以下になることはない。
【００１８】
また、アノードコモンのフォトダイオード１５’を使用する場合には、構成要素として１５’〜１９’が使用されるため、フォトダイオード１５’が動作状態の場合、入力端子１の電圧は、例えば２００ｍＶというように、ＧＮＤから少し高めの電圧となる。一方、フォトダイオード１５’が停止状態の場合、抵抗１９’に電流が流れないため、入力端子１の電圧はＧＮＤとなる。ここで、抵抗１９’は十分小さい抵抗値であるので、フォトダイオード１５’が動作状態であっても、入力端子１が１／２Ｖｃｃ以上になることはない。
【００１９】
従って、比較手段２２により、例えば１／２Ｖｃｃのような基準電圧と入力端子１の電圧を比較することで、接続されたフォトダイオードがカソードコモンフォトダイオードかアノードコモンフォトダイオードかを判別する事が可能となる。
【００２０】
カソードコモンのフォトダイオードを使用する際には、入力端子１の電圧は常に基準電圧より高くなるので、比較手段の出力により、第１のオペアンプ５を動作状態とし、第２のオペアンプ６を停止状態にすることで、第１のＶｃｃ端子３と第２の電源４によって決まる第２の基準電圧を用いて、レーザー出力の制御を実現する。逆にアノードコモンのフォトダイオードを使用する際には、入力端子１の電圧は常に基準電圧より低くなるので、比較手段の出力により、第２のオペアンプ６を動作状態とし、第１のオペアンプ５を停止状態にすることで、第２のＧＮＤ端子６と第３の電源７によって決まる第２の基準電圧を用いて、レーザー出力の制御を実現する。このように、使用するフォトダイオードがカソードコモンフォトダイオードかアノードコモンフォトダイオードかを自動的に判別することで、フォトダイオード判別のための制御ピンやレジスタ等の追加が不要なフォトダイオード判別装置を実現することができる。
【００２１】
また、本実施の形態による比較手段では、ノイズ等により比較手段の判別結果が逆転した時に、本来と逆のオペアンプが動作する恐れがあり、発振やレーザー発振素子の破壊の原因になる可能性があるので、比較手段をヒステリシス付きの比較手段に変更してもよい。これによって、ノイズや発振に対する耐性を確保しながら、使用するフォトダイオードがカソードコモンフォトダイオードかアノードコモンフォトダイオードかを自動的に判別することで、フォトダイオード判別のための制御ピンやレジスタ等の追加が不要なフォトダイオード判別装置を実現することができる。
【００２２】
さらに、比較手段の後段に保持手段を設けてシステム全体の電源がオフするまで比較手段の結果を保持することにより、パルス駆動のような、ＡＰＣ回路を素早くオンオフするような場合にも、切り替えスイッチの動作状態の安定を確保しながら、使用するフォトダイオードがカソードコモンフォトダイオードかアノードコモンフォトダイオードかを自動的に判別することで、フォトダイオード判別のための制御ピンやレジスタ等の追加が不要なフォトダイオード判別装置を実現することができる。
【００２３】
図３は本発明の実施の形態２におけるＡＰＣ回路のブロック図である。
図３において、１、３、４、６、７、９〜２２は図１と同じである。２３は比較手段２２の出力により、第１のＶｃｃ端子３と第２の電源４によって決まる第２の基準電圧または入力端子１の電圧のいずれかを選択して出力する第１の切り替えスイッチ、２４は比較手段２２の出力により、第２のＧＮＤ端子６と第３の電源７によって決まる第３の基準電圧または入力端子１の電圧のいずれかを選択して出力する第２の切替えスイッチ、２５は第１切替えスイッチ２３および第２の切替えスイッチ２４の出力に接続されたオペアンプである。ここで、使用する光ディスクや光磁気ディスクの再生装置によって、カソードコモンまたはアノードコモンのいずれかのフォトダイオードが使用される。なお、第１〜第５のＧＮＤ端子は共通にしてよい。また、第１〜第４のＶｃｃ端子は共通にしてよい。
【００２４】
以上の様に構成されたＡＰＣ回路において、フォトダイオードを判別する動作を説明する。
使用するフォトダイオードがカソードコモンであるかアノードコモンであるかを判別する方法は、実施の形態１と同様である。
【００２５】
カソードコモンのフォトダイオード１５を使用する際には、入力端子１の電圧は常に基準電圧より高くなるので、比較手段２２の出力により制御されて、第１の切替えスイッチ２３が第２の電源４の−側、第２の切り替えスイッチ２４が入力端子１を選択してオペアンプ２５に出力することで、第１のＶｃｃ端子３と第２の電源４によって決まる第２の基準電圧を用いて、レーザー出力の制御を実現する。逆にアノードコモンのフォトダイオード１５’を使用する際には、入力端子１の電圧は常に基準電圧より低くなるので、比較手段２２の出力により制御されて、第１の切り替えスイッチ２３が入力端子１、第２の切替えスイッチ２４が第３の電源７の＋側を選択してオペアンプ２５に出力することで、第２のＧＮＤ端子６と第３の電源７によって決まる第２の基準電圧を用いて、レーザー出力の制御を実現する。このように、使用するフォトダイオードがカソードコモンフォトダイオードかアノードコモンフォトダイオードかを自動的に判別することで、フォトダイオード判別のための制御ピンやレジスタ等の追加が不要なフォトダイオード判別装置を実現することができる。
【００２６】
また、本実施の形態による比較手段では、ノイズ等により比較手段の判別結果が逆転した時に、本来と逆のオペアンプが動作する恐れがあり、発振やレーザー発振素子の破壊の原因になる可能性があるので、比較手段をヒステリシス付きの比較手段に変更してもよい。これによって、ノイズや発振に対する耐性を確保しながら、使用するフォトダイオードがカソードコモンフォトダイオードかアノードコモンフォトダイオードかを自動的に判別することで、フォトダイオード判別のための制御ピンやレジスタ等の追加が不要なフォトダイオード判別装置を実現することができる。
【００２７】
さらに、比較手段の後段に保持手段を設けてシステム全体の電源がオフするまで比較手段の結果を保持することにより、パルス駆動のような、ＡＰＣ回路を素早くオンオフするような場合にも、切り替えスイッチの動作状態の安定を確保しながら、使用するフォトダイオードがカソードコモンフォトダイオードかアノードコモンフォトダイオードかを自動的に判別することで、フォトダイオード判別のための制御ピンやレジスタ等の追加が不要なフォトダイオード判別装置を実現することができる。
【００２８】
【発明の効果】
フォトダイオードから入力される電圧と基準電圧を比較して、接続されるフォトダイオードがカソードコモンフォトダイオードかアノードコモンフォトダイオードかを自動的に判別することにより、フォトダイオード判別のための制御ピンやレジスタ等の追加が不要なフォトダイオード判別装置を実現することができる。
【００２９】
また、比較手段をヒステリシス付き比較手段にすることにより、ノイズや発振に対する耐性を確保しながら、使用するフォトダイオードがカソードコモンフォトダイオードかアノードコモンフォトダイオードかを自動的に判別することで、フォトダイオード判別のための制御ピンやレジスタ等の追加が不要なフォトダイオード判別装置を実現することができる。
【００３０】
さらに、比較手段の後段に保持手段を設けてシステム全体の電源がオフするまで比較手段の結果を保持することにより、パルス駆動のような、ＡＰＣ回路を素早くオンオフするような場合にも、切り替えスイッチの動作状態の安定を確保しながら、使用するフォトダイオードがカソードコモンフォトダイオードかアノードコモンフォトダイオードかを自動的に判別することで、フォトダイオード判別のための制御ピンやレジスタ等の追加が不要なフォトダイオード判別装置を実現することができる。
【図面の簡単な説明】
【図１】本発明の実施の形態１におけるＡＰＣ回路のブロック図
【図２】フォトダイオードの種類と入力端子１の電圧の関係を示す図
【図３】本発明の実施の形態２におけるＡＰＣ回路のブロック図
【図４】従来のＡＰＣ回路のブロック図
【符号の説明】
１    入力端子
２    制御端子
３    Ｖｃｃ端子
４    電源
５    オペアンプ
６    ＧＮＤ端子
７    電源
８    オペアンプ
９    出力端子
１０    ｐｎｐトランジスタ
１１    Ｖｃｃ端子
１２    抵抗
１３    ＧＮＤ端子
１４    レーザー発振素子
１５    フォトダイオード
１５’  フォトダイオード
１６    ＧＮＤ端子
１６’  Ｖｃｃ端子
１７    端子
１７’  端子
１８    Ｖｃｃ端子
１８’  ＧＮＤ端子
１９    抵抗
１９’  抵抗
２０    ＧＮＤ端子
２１    電源
２２    比較手段
２３    切り替えスイッチ
２４    切替えスイッチ
２５    オペアンプ
【図１】
2004228391.tif 000003
【図２】
2004228391.tif 000004
【図３】
2004228391.tif 000005
【図４】
2004228391.tif 000006